(57)【要約】【課題】交流定電流電源の供給側で標識灯の異常を判定できる標識灯を提供する。【解決手段】標識灯12は、半導体発光素子17、スイッチ回路18、点灯制御回路20および異常信号出力回路21を備える。点灯制御回路20は、交流定電流電源を入力して半導体発光素子17を点灯制御するとともに、点灯動作を監視する。異常信号出力回路21は、点灯制御回路20での点灯動作の異常判定により異常信号をスイッチ回路18に出力する。スイッチ回路18は、点灯制御回路20の交流定電流電源入力側に設けられ、異常信号の入力により点灯制御回路20の交流定電流電源入力側を開放する。【選択図】図１
2012204207.tif 000002
【特許請求の範囲】
【請求項１】
半導体発光素子と；
交流定電流電源を入力して半導体発光素子を点灯制御するとともに、点灯動作を監視する点灯制御回路と；
点灯制御回路の交流定電流電源入力側に設けられ、異常信号の入力により点灯制御回路の交流定電流電源入力側を開放するスイッチ回路と；
点灯制御回路での点灯動作の異常判定により異常信号をスイッチ回路に出力する異常信号出力回路と；
を具備していることを特徴とする標識灯。
【請求項２】
半導体発光素子と；
交流定電流電源を入力して半導体発光素子を点灯制御する点灯制御回路と；
点灯制御回路の交流定電流電源入力側に設けられ、異常信号の入力により点灯制御回路の交流定電流電源入力側を開放するスイッチ回路と；
点灯制御回路の動作を監視し、異常判定により異常信号をスイッチ回路に出力する異常信号出力回路と；
を具備していることを特徴とする標識灯。
【発明の詳細な説明】
【技術分野】
【０００１】
本発明の実施形態は、半導体発光素子を点灯制御回路で点灯制御する標識灯に関する。
【背景技術】
【０００２】
従来、空港の滑走路や誘導路などに設置された標識灯を点灯制御する標識灯システムでは、交流定電流制御装置からゴム被覆絶縁変圧器を介して交流定電流電源を標識灯に供給している。標識灯の光源が電球である場合、交流定電流電源が電球に供給され、電球が点灯する。また、電球が断芯した際には、無負荷状態となったゴム被覆絶縁変圧器の二次側に過電圧が発生し、それに基づいて交流定電流制御装置側で電球の断芯を判定することが可能となっている。
【０００３】
また、光源としてＬＥＤ素子を用いた標識灯があるが、この標識灯では、ＬＥＤ素子を点灯させるために点灯制御回路を用いており、ＬＥＤ素子が故障しても点灯制御回路の働きで過電圧が発生するのを阻止する保護機能を有している。そのため、ゴム被覆絶縁変圧器の二次側に過電圧が発生することがなく、交流定電流制御装置側では標識灯の異常を判定できない。
【先行技術文献】
【特許文献】
【０００４】
【特許文献１】特開平１０−２１４３９４号公報
【発明の概要】
【発明が解決しようとする課題】
【０００５】
ＬＥＤ素子を点灯制御回路で点灯制御する標識灯においては、交流定電流電源の供給側において標識灯の異常を判定できない問題がある。
【０００６】
本発明が解決しようとする課題は、交流定電流電源の供給側で標識灯の異常を判定できる標識灯を提供することである。
【課題を解決するための手段】
【０００７】
実施形態の標識灯は、半導体発光素子、スイッチ回路、点灯制御回路および異常信号出力回路を備える。点灯制御回路は、交流定電流電源を入力して半導体発光素子を点灯制御するとともに、点灯動作を監視する。異常信号出力回路は、点灯制御回路での点灯動作の異常判定により異常信号をスイッチ回路に出力する。スイッチ回路は、点灯制御回路の交流定電流電源入力側に設けられ、異常信号の入力により点灯制御回路の交流定電流電源入力側を開放する。
【発明の効果】
【０００８】
本発明によれば、半導体発光素子を点灯制御回路で点灯制御する標識灯において、標識灯の異常発生時に点灯制御回路の交流定電流電源入力側を開放して無負荷状態とすることにより、交流定電流電源の供給側において標識灯の異常を判定可能となることが期待できる。
【図面の簡単な説明】
【０００９】
【図１】一実施形態を示す標識灯の回路図である。
【発明を実施するための形態】
【００１０】
以下、一実施形態を、図１を参照して説明する。
【００１１】
本実施形態の標識灯システム11は、例えば、空港の滑走路や誘導路などに設置された複数の標識灯12を点灯制御する航空標識灯システムである。
【００１２】
この標識灯システム11では、交流定電流電源を供給する交流定電流制御装置13にゴム被覆絶縁変圧器14の一次側が接続され、このゴム被覆絶縁変圧器14の二次側に標識灯12が接続されている。
【００１３】
そして、標識灯12は、光源としての半導体発光素子17、ゴム被覆絶縁変圧器14の二次側に接続されるスイッチ回路18、このスイッチ回路18に一次側が接続されたカレントトランス19、このカレントトランス19の二次側に接続されて半導体発光素子17を点灯制御する点灯制御回路20、および標識灯12の異常発生時に異常信号をスイッチ回路18に出力する異常信号出力回路21を備えている。
【００１４】
半導体発光素子17としては、例えばＬＥＤ素子やＥＬ素子などが用いられる。本実施形態では複数のＬＥＤ素子17aが用いられる。
【００１５】
また、スイッチ回路18は、ゴム被覆絶縁変圧器14の二次側の両端とカレントトランス19の一次側（点灯制御回路20の交流定電流電源入力側）の両端との間にそれぞれ介在された一対のスイッチ23を備えている。このスイッチ回路18としては、手動復帰形スイッチが用いられ、機械的操作によって一対のスイッチ23がオンし、ゴム被覆絶縁変圧器14の二次側とカレントトランス19の一次側（点灯制御回路20の交流定電流電源入力側）とが通電状態となり、また、異常信号の入力時に電気的駆動手段によって一対のスイッチ23がオフし、ゴム被覆絶縁変圧器14の二次側とカレントトランス19の一次側（点灯制御回路20の交流定電流電源入力側）との間を開放し、無負荷状態とするものである。
【００１６】
また、カレントトランス19は、ゴム被覆絶縁変圧器14から入力される交流定電流電源を、ＬＥＤ素子17aの点灯用の電流値に変換して点灯制御回路20に出力する。
【００１７】
また、点灯制御回路20では、カレントトランス19の二次側の交流定電流電源が、点灯電源回路25に入力され、さらに、カレントトランス26を介して制御電源回路27に入力されるとともに、カレントトランス28を介して電流検出回路29に入力される。
【００１８】
点灯電源回路25は、カレントトランス19の二次側の交流定電流電源を整流器30で整流し、負荷調整回路31で電流を一定に調整して平滑器32で平滑し、ＬＥＤ素子17aへ供給する。負荷調整回路31は、ＬＥＤ素子17aに流れる電流を検出する制御部33によりフィードバック制御され、ＬＥＤ素子17aに流れ電流が一定になるように調整する。
【００１９】
点灯電源回路25の平滑器32には、複数のＬＥＤ素子17a、点灯制御回路34、および点灯電流検出回路35の直列回路が接続されている。点灯制御回路34は、例えばスイッチング素子を備え、このスイッチング素子が制御部33によってデューティ制御されることにより、ＬＥＤ素子17aが所定の光度となるようにＬＥＤ素子17aに流れる電流を調整する。点灯電流検出回路35はＬＥＤ素子17aに流れる電流を検出し、点灯検出回路36に出力する。点灯検出回路36では、点灯電流検出回路35により検出された電流に基づいてＬＥＤ素子17aの点灯状態を検出し、この点灯検出情報を制御部33に出力する。
【００２０】
制御電源回路27は、制御部33および異常信号出力回路21に制御電源を供給するものである。この制御電源回路27は、カレントトランス19の二次側の交流定電流電源をカレントトランス26を介して整流器38に入力し、整流器38で整流し、負荷調整回路39で電圧を一定に調整して平滑器40で平滑する。平滑器40で平滑された制御電圧は、制御電圧回路41で所定の制御電圧として制御部33に供給する。
【００２１】
そして、制御部33は、ＣＰＵによって構成され、点灯動作を制御する制御機能、および点灯動作を監視する監視機能を有している。
【００２２】
制御部33の制御機能としては、点灯電流検出回路35で検出されるＬＥＤ素子17aに流れる電流が一定になるように負荷調整回路31をフィードバック制御する電流制御機能、点灯電流検出回路35で検出される電流値に基づいてＬＥＤ素子17aが所定の光度で点灯するように点灯制御回路34を制御する光度制御機能、ＬＥＤ素子17aが開放状態で故障した際に、電流源であるために過電流が発生するが、その過電流で回路が故障しないように図示しない保護回路を制御する過電流保護機能などを有している。
【００２３】
護機能を有している。
【００２４】
制御部33の監視機能としては、電流検出回路29からの入力電流を監視する入力電流監視機能、点灯電流検出回路35で検出されるＬＥＤ素子17aに流れる電流を監視する負荷電流監視機能、点灯検出回路36からの信号でＬＥＤ素子17aの点灯を監視する点灯監視機能、制御電源回路27から供給される制御電圧を監視する制御電圧監視機能などを有している。
【００２５】
制御部33は、各監視機能による監視の結果、いずれか１つの監視項目でも正常な点灯動作の範囲を超えていた場合、異常と判定し、異常信号（動作監視信号）を異常信号出力回路21に出力する。また、制御部33は、この制御部33が正常動作している場合に、Ｈレベルの信号とＬレベルの信号とを所定間隔で交互に出力するパルス信号である動作信号を異常信号出力回路21に出力する。
【００２６】
また、異常信号出力回路21は、制御部33から動作信号（Ｈレベルの信号とＬレベルの信号とが所定間隔で交互に切り換わるパルス信号）が入力されない場合に制御部33の異常を判定する制御部異常判定回路43、およびこの制御部異常判定回路43からの異常信号および制御部33からの異常信号をスイッチ回路18に出力するインタフェース回路44を有している。
【００２７】
次に、標識灯システム11の動作を説明する。
【００２８】
まず、標識灯12の正常動作時には、スイッチ回路18の一対のスイッチ23がオンしており、ゴム被覆絶縁変圧器14から入力される交流定電流電源をカレントトランス19を通じて点灯制御回路に出力している。制御電源回路27では、制御部33および異常信号出力回路21に制御電源を供給している。そして、制御部33により、負荷調整回路31および点灯制御回路34を制御し、ＬＥＤ素子17aの点灯を制御する。
【００２９】
制御部33は、前記の入力電流監視機能、負荷電流監視機能、点灯監視機能および制御電圧監視機能で各監視項目を監視しており、ここでは、各監視項目とも正常な点灯動作の範囲内であるので異常信号を出力していない。さらに、異常信号出力回路21の制御部異常判定回路43に対して動作信号（Ｈレベルの信号とＬレベルの信号とを所定間隔で交互に出力するパルス信号）を出力している。
【００３０】
また、制御部33の各監視項目のうちのいずれか１つでも、正常な点灯動作の範囲内を超えていて異常が発生したと判定した場合、異常信号を異常信号出力回路21に出力し、異常信号出力回路21のインタフェース回路44から異常信号をスイッチ回路18に出力する。
【００３１】
スイッチ回路18では、異常信号出力回路21から異常信号を入力すると、一対のスイッチ23を電気的駆動手段によって強制的にオフする。
【００３２】
この一対のスイッチ23のオフにより、ゴム被覆絶縁変圧器14の二次側とカレントトランス19の一次側との間を完全に開放し、無負荷状態とする。
【００３３】
また、一対のスイッチ23のオフにより、点灯制御回路20および異常信号出力回路21への電源供給がなくなり、制御部33から出力された異常信号がスイッチ回路18に入力されなくなるが、スイッチ回路18は、手動復帰形スイッチであるため、機械的操作を行わなければオンすることはない。
【００３４】
そして、ゴム被覆絶縁変圧器14の二次側が開放されることで過電流が発生し、それを交流定電流制御装置13で検出し、標識灯12の異常を把握できる。
【００３５】
また、制御部33で動作しているソフトウエアが停止するなどの故障が発生した場合、制御部33の全ての機能が停止する。この場合、制御部33以外の回路は正常に動作している。
【００３６】
制御部33が停止すると、異常信号出力回路21の制御部異常判定回路43に対して出力していた動作信号（Ｈレベルの信号とＬレベルの信号とを所定間隔で交互に出力するパルス信号）を出力しなくなり、Ｈレベルの信号またはＬレベルの信号のいずれか一方のみを出力する状態で停止する。
【００３７】
制御部異常判定回路43は、制御部33からＨレベルの信号とＬレベルの信号とが所定間隔で交互に入力されないことで制御部33の異常を判定し、異常信号をインタフェース回路44を通じてスイッチ回路18に出力する。
【００３８】
スイッチ回路18では、異常信号出力回路21から異常信号を入力すると、一対のスイッチ23を電気的駆動手段によって強制的にオフする。
【００３９】
この一対のスイッチ23のオフにより、ゴム被覆絶縁変圧器14の二次側とカレントトランス19の一次側との間を完全に開放し、無負荷状態とする。
【００４０】
また、一対のスイッチ23のオフにより、点灯制御回路20および異常信号出力回路21への電源供給がなくなり、異常信号出力回路21から出力された異常信号がスイッチ回路18に入力されなくなるが、スイッチ回路18は、手動復帰形スイッチであるため、機械的操作を行わなければオンすることはない。
【００４１】
そして、ゴム被覆絶縁変圧器14の二次側が開放されることで過電流が発生し、それを交流定電流制御装置13で検出し、標識灯12の異常を把握できる。
【００４２】
このように、本実施形態の標識灯12によれば、ＬＥＤ素子17aを点灯制御回路20で点灯制御する標識灯12において、標識灯12の異常発生時に点灯制御回路20の交流定電流電源入力側を開放して無負荷状態とすることにより、交流定電流電源の供給側において標識灯12の異常を判定することができる。
【００４３】
また、スイッチ回路18に手動復帰形スイッチを用いるため、異常信号の入力でスイッチ回路18がオフした後、異常信号の入力が途絶えるが、オフ状態を維持できる。
【００４４】
以上、本発明のいくつかの実施形態を説明したが、これらの実施形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
12    標識灯
17    半導体発光素子
18    スイッチ回路
20    点灯制御回路
21    異常信号出力回路
【図１】
2012204207.tif 000003